(57)【要約】【課題】  これまでの使用勝手や施工作業に悪影響を与えることなく、夏季においても施工された人工芝の温度の高温化を抑制することができる新規な人工芝の施工構造を提供する。【解決手段】  人工芝３，１３，２３に形成されたパイル２，１２，２２間に充填材が充填されてなり、この充填材は貝殻の粉砕物４，１４であるか、または、該貝殻の粉砕物が含まれてなる。【選択図】  図１
2005090055.tif 000002
【特許請求の範囲】
【請求項１】
人工芝に形成されたパイル間に充填材が充填されてなり、この充填材は貝殻の粉砕物であるか、または、該貝殻の粉砕物が含まれてなることを特徴とする人工芝の施工構造。
【請求項２】
前記人工芝に形成されたパイル間に充填された充填材は、砂等の硬質粒状物と貝殻の粉砕物とが混合されてなることを特徴とする請求項１記載の人工芝の施工構造。
【請求項３】
前記人工芝に形成されたパイル間に充填された充填材は、上層がゴムチップ又は樹脂チップからなる弾性充填材からなり、下層は貝殻の粉砕物であることを特徴とする請求項１記載の人工芝の施工構造。
【請求項４】
前記下層は、砂等の硬質粒状物と貝殻の粉砕物とが混合されてなることを特徴とする請求項３記載の人工芝の施工構造。
【発明の詳細な説明】
【技術分野】
【０００１】
本発明は、人工芝のパイル間に充填材が充填されてなる人工芝の施工構造に関するものである。
【背景技術】
【０００２】
これまで人工芝は、野球場，テニス場等の運動競技場は勿論、こうした施設以外に、例えば、建物の屋上やベランダ或いは庭等、広い範囲で使用されるに到っている。そして、従来の人工芝は、基布とこの基布上にタフティングされた多数のパイルとから構成され、この人工芝を上記運動競技上等に施工する場合には、該人工芝を施工した後に、さらに上記多数のパイル間に砂等の硬質粒状物からなる散布するなどして充填材を充填している。また、従来の人工芝の施工構造としては、こうした砂等の充填材に代え又は該砂等の充填材と共にチップ状に成形されたゴム等の弾性材からなる弾性充填材を充填するものが開示され実施されている（特許文献１参照）。このように、充填材として、弾性充填材が充填されることにより、人工芝全体に弾力性を付与し、運動競技場等での怪我を防止することができる。
【特許文献１】特開２００２−２９４６２０号公報
【発明の開示】
【発明が解決しようとする課題】
【０００３】
しかしながら、夏季においては、直射日光により上記人工芝は極めて高温となり、競技者にとっては極めて過酷な状態となる。また、運動競技場以外に施工されている場合であっても、人工芝が高温となることは好ましくない。特に、上述した弾性充填材が充填された人工芝では、該弾性充填材が、廃棄物として従来廃棄されていた自動車等の古タイヤを小さなチップ状に切断しリサイクル使用したものであり黒色であるため、砂等の硬質粒状物が充填材として充填されている場合に比べて一層高温となる。
【０００４】
そこで、本発明は、上述した従来の人工芝の施工構造が有する課題を解決するために提案されたものであって、これまでの使用勝手や施工作業に悪影響を与えることなく、夏季においても施工された人工芝の温度の高温化を抑制することができる新規な人工芝の施工構造を提供することを目的とするものである。
【課題を解決するための手段】
【０００５】
本発明は、上記課題を解決するために鋭意研究した結果、貝殻の粉砕物が人工芝の高温化を防止することができることを見出し、提案されたものであって、第1の発明（請求項１記載の発明）は、人工芝に形成されたパイル間に充填材が充填されてなり、この充填材は貝殻の粉砕物であるか、または、該貝殻の粉砕物が含まれてなることを特徴とするものである。
【０００６】
上記貝殻は、貝殻であれば何れのものも使用することができ、例えば、ホタテ貝，カキ，アサリ，シジミ等を挙げることができる。また、こうした貝殻の粉砕物の大きさは（粒径）は、人工芝にタフティングされたパイル同士の間隔にも拠るが、少なくとも該パイル間に収めることができる程度の大きさであれば良い。但し、余りにも細かい粒径（粉状）とすると、風により飛ばされ、または、基布の形成された水抜き用の孔から流れ出る可能性もあり、度々補充する作業が必要となる。また、飛ばされた貝殻の粉砕物が、人の目に入る等の悪影響もある。したがって、こうした悪影響を防止する観点から、約０．１ｍｍ〜１０ｍｍの範囲に粉砕されたものを使用することが望ましい。また、この第１の発明においては、上記貝殻の粉砕物は、充填材に含まれていれば良く、他の異なる充填材と併用しても良いし、充填材が貝殻の粉砕物のみからなるものであっても良い。なお、上記他の異なる充填材とは、これまで充填材として用いられていた砂や、ゴムチップ等の弾性充填材を挙げることができる。また、上記人工芝は、従来公知の人工芝を用いることができ、パイルの長さが特に限定されるものではないことは勿論、長いパイルと短いパイルとがそれぞれタフティングされたものであっても良い。また、この発明においては、必ずしも運動競技場に施工されるものばかりではなく、庭，屋上，ベランダに施工されるものであっても良い。
【０００７】
また、第２の発明（請求項２記載の発明）は、上記第１の発明において、前記人工芝に形成されたパイル間に充填された充填材は、砂等の硬質粒状物と貝殻の粉砕物とが混合されてなることを特徴とするものである。なお、この貝殻の粉砕物と硬質粒状物との混合比は、特に限定されるものではない。
【０００８】
また、第３の発明（請求項３記載の発明）は、上記第１の発明において、前記人工芝に形成されたパイル間に充填された充填材は、上層がゴムチップ又は樹脂チップからなる弾性充填材からなり、下層は貝殻の粉砕物であることを特徴とするものである。なお、上層と下層との割合は特に限定されるものではない。
【０００９】
また、第４の発明（請求項４記載の発明）は、上記第３の発明において、前記下層は、砂等の硬質粒状物と貝殻の粉砕物とが混合されてなることを特徴とするものである。
【発明の効果】
【００１０】
上記第１の発明（請求項１記載の発明）によれば、貝殻の粉砕物が多孔質であることから、適度の水分を含むことができるとともに、この水分の放出に伴う気化熱の発散により、施工された人工芝の温度が高温となることを有効に防止することができる。また、他の種類が異なる充填材と併用した場合には、これまで用いていた充填材の量を減少させることができ、また、貝殻はこれまで産業廃棄物として処理されてきたものであることから、リサイクルを促進することができる。また、この発明によれば、従来充填材として砂のみが充填されていた人工芝に比べて、僅かに弾力性を付与することができる。
【００１１】
上記第２の発明（請求項２記載の発明）では、人工芝に形成されたパイル間に充填された充填材は、砂等の硬質粒状物と貝殻の粉砕物とが混合されてなることから、上述した第１の発明の効果に加えて、細かい貝殻の粉砕物を用いても、風により飛散する危険性が少なく、より貝殻のリサイクルを促進することができる。
【００１２】
上記第３の発明（請求項３記載の発明）では、前記人工芝に形成されたパイル間に充填された充填材は、上層がゴムチップ又は樹脂チップからなる弾性充填材からなり、下層は貝殻の粉砕物であることから、弾性充填材を用いていた人工芝の施工構造が有する弾性効果を損なうことなく、且つ、人工芝の高温化を有効に防止することができる。また、この第３の発明では、上層に弾性充填材が施工されていることから、下層に施工された貝殻の粉砕物が風により飛散する危険性が少なく、上記第２の発明と同じように、細かい貝殻の粉砕物を用いることができ、より貝殻のリサイクルを促進することができる。
【００１３】
上記第４の発明（請求項４記載の発明）では、前記下層は、砂等の硬質粒状物と貝殻の粉砕物とが混合されてなることから、下層に施工された貝殻の粉砕物が風により飛散する危険性をより一層防止することができ、細かい貝殻の粉砕物を用いることができ、より貝殻のリサイクルを促進することができる。
【発明を実施するための最良の形態】
【００１４】
以下、本発明の各実施の形態を、図面を参照しながら詳細に説明する。
【００１５】
先ず、第１の実施の形態に係る人工芝の施工構造を説明する。この人工芝の施工構造は、図１に示すように、基布１とこの基布１上にタフティングされた多数のパイル２とからなる人工芝３を図示しない地面に施工した後に充填された貝殻の粉砕物４から構成されている。すなわち、上記貝殻の粉砕物４は、上記多数のパイル２間に充填されている。なお、これらのパイル２は、比較的短い長さとされてなるものであり、例えば、テニスコート等の運動競技場や家庭の庭等に施工されるものである。また、この実施の形態においては、上記パイル２間に充填された貝殻の粉砕物４は、パイル２の約４／５〜３／５埋設される程度に充填されている。また、この実施の形態に係る人工芝の施工構造に用いた貝殻の粉砕物は、ホタテ貝の粉砕物である。
【００１６】
上述した第１の実施の形態に係る人工芝の施工構造によれば、夏季においても、施工された人工芝が直射日光による高温化を有効に抑制することができる。また、この実施の形態では、充填物の全てが貝殻の粉砕物であることから、比重が軽く、このため砂を充填材として用いていた従来の作業に比べ施工作業を楽なものとすることができる。
【００１７】
次に、第２の実施の形態に係る人工芝の施工構造を説明する。この人工芝の施工構造は、図２に示すように、人工芝１３を構成する多数のパイル１２間に、貝殻の粉砕物１４が充填され、この貝殻の粉砕物１４の上にゴムチップからなる弾性充填材１５が充填されたものである。この人工芝１３は、上記第１の実施の形態に係る人工芝の施工構造を構成する人工芝３に比べて、ややパイル１２が長尺となされ、上記貝殻の粉砕物１４は、基布１１上から上記パイル１２の長さの約２／６〜３／６を埋設する程度に充填され、上層に充填された弾性充填材１５は、パイル１２の長さの約３／６〜２／６を埋設する程度に充填され、パイル１２の上端側は、約１／６〜２／６程度露出している。
【００１８】
上述した第２の実施の形態に係る人工芝の施工構造によれば、上層には、弾性充填材１５が充填されていることから、人工芝１３に弾力性を持たせることができるのみならず、この弾性充填材１５の高温化を下層に充填された貝殻の粉砕物１４により有効に防止することができる。また、この貝殻の粉砕物１４は、上記弾性充填材１５の下方に充填されており、さらに、この弾性充填材１５の厚みは、上述したように、パイル１２の長さの約３／６〜２／６を埋設する程度とされていることから、風により貝殻の粉砕物が飛散する可能性を有効に防止することができ、したがって、細かい粒径の粉砕物を使用することができるので、貝殻のリサイクルをより促進することができる。
【００１９】
次に、第３の実施の形態に係る人工芝の施工構造を説明する。この人工芝の施工構造は、図３に示すように、人工芝２３を構成する多数のパイル２２間に、貝殻の粉砕物とゴムチップからなる弾性充填材（混合充填材）２４が充填されてなるものである。この混合充填材２４は、上記弾性充填材と貝殻の粉砕物とが約１：１〜１：３の割合で混合されてなるものである。
【００２０】
上述した第３の実施の形態に係る人工芝の施工構造によれば、第２の実施の形態に係る人工芝の施工構造のように、下層に充填する貝殻の粉砕物１４の施工工程と、上層の弾性充填材１５の施工工程との２工程を行う必要が無く、上記混合充填材２４のみで充填材の施工工程は終了することから作業の簡便化を図ることができる。また、こうした人工芝の施工構造によれば、上記第２の実施の形態に係る人工芝の施工構造のように、弾性充填材１５が表面に形成されないことから、より人工芝２３の高温化を防止することができるとともに、前記第１の実施の形態に係る人工芝の施工構造のように、貝殻の粉砕物のみを充填材として使用した場合に比べて、貝殻の粉砕物が風により飛散する可能性を防止することができる。なお、この第３の実施の形態に係る人工芝の施工構造では、本発明を構成する貝殻の粉砕物と弾性充填材とを混合した混合充填材２４が充填されているが、本発明では、こうした弾性充填材に代えて、または、この弾性充填材に加えて砂等の高質粒状物を貝殻の粉砕物に混合した混合充填材を用いても良い。
【図面の簡単な説明】
【００２１】
【図１】第１の実施の形態に係る人工芝の施工構造を模式的に示す断面図である。
【図２】第２の実施の形態に係る人工芝の施工構造を模式的に示す断面図である。
【図３】第３の実施の形態に係る人工芝の施工構造を模式的に示す断面図である。
【符号の説明】
【００２２】
１，１１，２１    基布
２，１２，２２    パイル
３，１３，２３    人工芝
４，１４    貝殻の粉砕物
１５    弾性充填材
２４    混合充填材
【図１】
2005090055.tif 000003
【図２】
2005090055.tif 000004
【図３】
2005090055.tif 000005